(57)【要約】【課題】外装シートへの装着性及び人体へのフィット性に優れ、かつ液漏れ防止の向上が図られた見栄えのよい内装パッドを提供すること。【解決手段】吸収体を内在したパッド本体の表面長手方向両側に立体ギャザーを有してなり、股間部の前後に夫々前身頃及び後身頃を形成してなる外装シートの内側表面に装着されて紙おむつとして使用される内装パッドにおいて、前記前身頃及び後身頃側に位置する前記立体ギャザーの各自由端部先端を前記吸収体の裏面に至るまで幅方向外側に折り返し固定して前記立体ギャザーを形成する。【選択図】　　　　図２
2004065301.tif 000002
【特許請求の範囲】
【請求項１】
吸収体を内在したパッド本体の表面長手方向両側に立体ギャザーを有してなり、股間部の前後に夫々前身頃及び後身頃を形成してなる外装シートの内側表面に装着されて紙おむつとして使用される内装パッドにおいて、前記前身頃及び後身頃側に位置する前記立体ギャザーの各自由端部先端を前記吸収体の裏面に至るまで幅方向外側に折り返し固定して前記立体ギャザーを形成したことを特徴とする内装パッド。
【請求項２】
前記後身頃側に位置する立体ギャザーの長さ寸法が前記前身頃側に位置する立体ギャザーの長さ寸法よりも長く設定されていることを特徴とする請求項１に記載の内装パッド。
【請求項３】
前記後身頃側に位置する立体ギャザーの幅寸法が前記前身頃側に位置する立体ギャザーの幅寸法より大きく設定されていることを特徴とする請求項１又は請求項２に記載の内装パッド。
【発明の詳細な説明】
【０００１】
【発明の属する技術分野】
本発明は、外装シートの内側表面に装着されて紙おむつとして使用される内装パッドに関し、さらに詳細には、外装シートへの装着性及び人体へのフィット性に優れ、かつ液漏れ防止の向上を図った内装パッドに関する。
【０００２】
【従来の技術】
従来、内装パッドを外装シートの内側表面に装着して、パンツタイプの紙おむつとして使用するようにしたものが知られている。この内装パッドの基本構成は、吸収体の長手方向両側に立体ギャザーを有してなっている。
【０００３】
図４はこのような内装パッドを装着してなるパンツタイプの紙おむつの一例を示す斜視図であり、図５はこの紙おむつを展開して表面側から見た平面図、図６（Ａ），（Ｂ），（Ｃ）は、夫々、図５におけるＡ−Ａ断面図、Ｂ−Ｂ断面図、Ｃ−Ｃ断面図である。
【０００４】
図４に示すように、この紙おむつ１０は、パンツタイプに形成された外装シート２０の内側表面に、内装パッド３０をメカニカルシール等からなる止着部材（図示せず）を介して、装着してなっている。ここに、外装シート２０は、不透液性を有し、かつ肌触りのよい織布、不織布、防水フィルム等のシート材からなり、これを例えば表裏２枚重ねて、図５に示すように、全体を擬似砂時計状として前身頃２１，股間部２２，後身頃２３を形成し、前身頃２１の側部２１ｓと後身頃２３の側部２３ｓとを合わせ溶着してパンツタイプに仕立てられている。なお、前身頃２１の胴周り２１ｄ、股間部２２の脚周り２２ｄ，後身頃２３の胴周り２３ｄには、夫々ゴム紐等からなる弾性伸縮部材２１ｇ，２２ｇ，２３ｇが介在されてこの部分に平面ギャザーが形成されている。
【０００５】
一方、内装パッド３０は、上述したような不透液性を有する矩形状の裏面シート３１と、透液性を有し、かつ肌触りのよい織布や不織布等からなる表面シート３２との間に吸収体３３を内在させてパッド本体３４を形成し、表面シート３２の表面長手方向両側に立体ギャザー３５を固着してなっている。
【０００６】
図６（Ａ），（Ｂ），（Ｃ）に示すように、吸収体３３は、パルプ繊維と吸収性ポリマー等の混合層３３ｐをクレープ紙３３ｃで被包し、これを前記裏面シート３１と表面シート３２との間に介在させてなっている。
【０００７】
立体ギャザー３５は、固定端部３５ｅが吸収体３３の裏面側に接着剤等により固着され、自由端部３５ｆ先端は吸収体３３の側部を介して表面シート３２の内側に曲げられた後、外側に向かって折り返されている。なお、このように折り返された立体ギャザー３５の形状は、後身頃２３側（Ａ−Ａ断面位置）と前身頃２１側（Ｃ−Ｃ断面位置）とでは実質的に同一であり、自由端部３５ｆ先端が平坦に折り返されているのに対し、股間部２２側（Ｂ−Ｂ断面位置）では自由端部３５ｆが斜め外側上方に延びた状態になっている。したがって、本内装パッド３０を装着してなる紙おむつ１０を着用者Ｍが着用すると、立体ギャザー３５は、後身頃２３側では図６（Ａ）に仮想線で示すように着用者Ｍの臀部Ｍａに、股間部２２側では図６（Ｂ）に示すように股間部Ｍｂに、そして前身頃２１側では図６（Ｃ）に示すように下腹部Ｍｃに夫々対接される。なお、これらの図において白抜きの丸印で示すように、立体ギャザー３５の固定端部３５ｅ及び自由端部３５ｆにはゴム紐等からなる複数本の弾性伸縮部材３５ｇが内在されている。
【０００８】
【発明が解決しようとする課題】
しかしながら、以上のように構成された本内装パッド３０においては、使用に際し、外装シート２０の内側表面に止着部材等を介して張り付け、装着しようとすると、立体ギャザー３５の外側面、すなわち固定端部３５ｅ側の面が弾性伸縮部材３５ｇの伸縮作用により縮んでしまい、このため内装パッド３０が外装シート２０の表面にきれいに固定できないという欠点があった。
【０００９】
また、図６（Ｂ）に示すように、股間部２２に位置する立体ギャザー３５の自由端部３５ｆが常に斜め外側上方に起立した状態にあるので、着用者Ｍの股間部Ｍｂが当接すると、この自由端部３５ｆの先端が矢印Ｙで示すように内側に折り曲げられて肌にフィットしなくなり、このため、自由端部３５ｆ先端間の距離、すなわち幅寸法がＷ０からＷ１へと数ｍｍないし１０数ｍｍ狭められ、これに伴い、折り返し部間の幅寸法がＷ２からＷ３へと数ｍｍないし１０数ｍｍ狭められるという欠点があった。このように幅寸法Ｗ０，Ｗ２が狭められることは排泄物を吸収体３３に受容する開口部の面積が縮小されることに外ならず、このため、とくに本内装パッド３０の両側で排泄された排泄物が吸収体３３に受容されず、また、場合によっては自由端部３５ｆが着用者の排泄口を塞いでしまう等の理由により、排泄物が外漏れする原因ともなっていた。
【００１０】
さらにまた、上述したように裏面側が縮んだり、あるいは立体ギャザーのフィット性が悪かったりした内装パッド３０は着用者Ｍに不快感を与えるのみならず、紙おむつ１０としても外観的に見栄えの悪いものとなっていた。
【００１１】
本発明は、従来の内装パッドの有する上記欠点を解消し、外装シートへの装着性及び人体へのフィット性に優れ、かつ液漏れ防止の向上が図られた見栄えのよい内装パッドを提供することを目的とする。
【００１２】
【課題を解決するための手段】
本発明の上記目的は、吸収体を内在したパッド本体の表面長手方向両側に立体ギャザーを有してなり、股間部の前後に夫々前身頃及び後身頃を形成してなる外装シートの内側表面に装着されて紙おむつとして使用される内装パッドにおいて、前記前身頃及び後身頃側に位置する前記立体ギャザーの各自由端部先端を前記吸収体の裏面に至るまで幅方向外側に折り返し固定して前記立体ギャザーを形成したことを特徴とする内装パッドによって達成される。
【００１３】
また、本発明の上記目的は、前記後身頃側に位置する立体ギャザーの長さ寸法が前記前身頃側に位置する立体ギャザーの長さ寸法よりも長く設定されていることを特徴とする内装パッドによって、より効果的に達成される。
【００１４】
さらにまた、本発明の上記目的は、前記後身頃側に位置する立体ギャザーの幅寸法が前記前身頃側に位置する立体ギャザーの幅寸法より大きく設定されていることを特徴とする内装パッドによって、より効果的に達成される。
【００１５】
【発明の実施の形態】
以下、本発明の内容を実施例に基づき詳述する。なお、本発明は必ずしも以下の実施例に限定されるものではないことはいうまでもない。
【００１６】
図１は、本発明の一実施形態に係わり、前記従来技術の場合と同様に、本発明に係わる内装パッドを紙おむつに適用した場合の斜視図であり、図２はこの紙おむつの展開平面図、図３（Ａ），（Ｂ），（Ｃ）は夫々図２のＡ−Ａ断面図、Ｂ−Ｂ断面図、Ｃ−Ｃ断面図である。なお、図示するように、本実施形態に係わる紙おむつ１０’は、立体ギャザー３５’を要部とする内装パッド３０’の構成を除き、その他の構成は前記従来の紙おむつ１０の構成と実質的に同一であるので、図１ないし図３では前記と同一の構成要素に対し同一の符号が付されている。
【００１７】
本紙おむつ１０’は、前記紙おむつ１０と同様にパンツタイプに形成された外装シート２０の内側表面に内装パッド３０’を装着してなっている。なお、外装シート２０の構成は前述したとおりである。
【００１８】
一方、本紙おむつ１０’における内装パッド３０’は、前記紙おむつ１０と同様に、パッド本体３４が不透液性を有する矩形状の裏面シート３１と、透液性を有し、かつ肌触りのよい織布や不織布等からなる表面シート３２との間に吸収体３３を内在させて形成されているが、表面シート３２の表面長手方向両側に設けられた立体ギャザー３５’の構成が大幅に異なっている。
【００１９】
本内装パッド３０’では、図３（Ａ），（Ｃ）に示すように、前身頃２１側及び後身頃２３側に位置する立体ギャザー３５’の各自由端部３５’ｆの先端が吸収体３３の裏面に至るまで幅方向外側に折り返され、この裏面において熱溶着等により固定されている。このように立体ギャザー３５’の各自由端部３５’ｆの先端を幅方向外側に折り返して固定すると、股間部２２位置にある立体ギャザー３５’の自由端部３５’ｆの先端は、弾性伸縮部材３５’ｇの伸縮作用により傾斜角が必然的に低減され、図３（Ｂ）に示すように幅方向に広げられた状態になる。このため、着用者Ｍの股間部Ｍｂが自由端部３５’ｆに当接するとこの先端は肌にピッタリとフィットして外側に向かって移動される。すなわち、着用者Ｍの股間部Ｍｂが自由端部３５’ｆに当接すると、図３（Ｂ）に示すように、自由端部３５’ｆの先端間の幅寸法Ｗ’０は増大されるようになり、これに伴い、折り曲げ部間の幅寸法Ｗ’３も幾分増大される。よって、本内装パッド３０’によれば、フィット性が向上されると共に排泄物を吸収体３３に受容する開口部の面積が十分に確保される。
【００２０】
また、上述したように、立体ギャザー３５’の各自由端部３５’ｆの先端を幅方向外側に折り返して固定すると、弾性伸縮部材３５’ｇの伸縮作用により吸収体３３の裏面側の端部が外側に引っ張られ、この面が平坦になることが確認されている。よって、本内装パッド３０’は外装シート２０の内側表面にきれいに固定することができ、見栄えのよい紙おむつ１０’を仕立てることができる。
【００２１】
本内装パッド３０’では、立体ギャザー３５’の折り曲げ部間の幅寸法が後身頃２３側では広く、前身頃２１側では狭く設定されている。すなわち、図２に示すように、後身頃２３、股間部２２、前身頃２１の各位置における立体ギャザー３５’の折り曲げ部間の幅寸法を、夫々、Ｗ’２，Ｗ’３，Ｗ’４とすると、Ｗ’３＞Ｗ’２≧Ｗ’４に設定されている。なお、これらの幅寸法は、Ｗ’０＝１２０〜２００ｍｍ、Ｗ’２＝６０〜１８０ｍｍ、Ｗ’３＝８０〜１８０ｍｍ、Ｗ’４＝６０〜１８０ｍｍに設定されている。
【００２２】
また、上記折り曲げ部間の幅寸法に加え、本内装パッド３０’では、後身頃２３側に位置する立体ギャザー３５’の長さ寸法Ｌ１に対し、前身頃２１側に位置する立体ギャザー３５’の長さ寸法Ｌ１が、Ｌ１≧Ｌ２、Ｌ１／Ｌ２＝１．０〜２．０となるように設定されている。なお、これらの長さ寸法は、Ｌ１＝４０〜１５０ｍｍ、Ｌ２＝２０〜１２０ｍｍに設定されている。このようにＬ２をＬ１より短めに設定し、前身頃２１に偏倚した排尿部に合わせて立体ギャザー３５’の立体部分を前後に偏倚させることにより漏れをなくすことができる。
【００２３】
ここに、立体ギャザー３５’の折り曲げ部間の幅寸法及び長さ寸法を後身頃側では大きく前身頃側では小さく設定する理由は、着用者Ｍによって排泄される排泄物の量は前身頃２１側に較べ後身頃２３側が圧倒的に多いという実情に基づいている。このように着用者Ｍの臀部Ｍａ側の受容面積及びバリヤーを大きく設定し、排泄物の受容容積をされた本内装パッド３０’によれば、便等の排泄物の漏れが確実に防止される。
【００２４】
また、立体ギャザー３５’の形状を上述したように形成すると、フィット性が向上されるのみならず、内装パッド３０’全体がコンパクトになり、着用したときの見栄えが一段とよくなる利点がある。
【００２５】
以上は本発明の最も好ましい実施形態であるが、本発明は必ずしもこの形態に限定されるものではなく、その構成を種々に変更することができる。例えば、前記実施形態では、立体ギャザーの自由端部先端間の幅寸法及び長さ寸法を後身頃側と前身頃側とで変えたが、これを従来どおり同一に設定してもよい。なお、本発明に係わる内装パッドは、とくにパッド幅寸法が１７０ｍｍより小さい紙おむつに適用すると、上述したような効果が一段と発揮されることが究明されている。
【００２６】
また、本発明に係わる内装パッドは、上述したようなパンツタイプの紙おむつへの適用に限らず、生理用パッド他の吸収性物品としても適用することができる。
【００２７】
【発明の効果】
以上に詳述したように、本発明によれば、外装シートへの装着性及び人体へのフィット性に優れ、かつ液漏れ防止の向上が図られた見栄えのよい内装パッドを提供することができる。
【図面の簡単な説明】
【図１】本発明に係わる内装パッドを適用した紙おむつの斜視図である。
【図２】図１の紙おむつの展開平面図である。
【図３】（Ａ）は図２のＡ−Ａ断面図、（Ｂ）は図２のＢ−Ｂ断面図、（Ｃ）は図２のＣ−Ｃ断面図である。
【図４】従来の内装パッドを適用した紙おむつの斜視図である。
【図５】図１の紙おむつの展開平面図である。
【図６】（Ａ）は図５のＡ−Ａ断面図、（Ｂ）は図５のＢ−Ｂ断面図、（Ｃ）は図５のＣ−Ｃ断面図である。
【符号の説明】
１０，１０’　　　　　紙おむつ
２０　　　　　　　　　外装シート
２１　　　　　　　　　前身頃
２２　　　　　　　　　股間部
２３　　　　　　　　　後身頃
３０，３０’　　　　　内装パッド
３１　　　　　　　　　裏面シート
３２　　　　　　　　　表面シート
３３　　　　　　　　　吸収体
３４，３４’　　　　　パッド本体
３５，３５’　　　　　立体ギャザー
【図１】
2004065301.tif 000003
【図２】
2004065301.tif 000004
【図３】
2004065301.tif 000005
【図４】
2004065301.tif 000006
【図５】
2004065301.tif 000007
【図６】
2004065301.tif 000008